(57)【要約】      （修正有）【課題】不使用時には送話部と受話部とを重ね合わせて、収納容易かつ取り扱い容易とすることができる上に、受話部のディスプレイ装置に表示されたディスプレイ画面を読み取ることを可能とし、かつ、開成時に受話部と送話部が側面略くの字形状に屈曲した形態を形成できる携帯電話機を提供する。【解決手段】送話部の匡体２と受話部の匡体４を別々に設け、両者をスライド機構を介して互いに相対的に摺動可能に連結することによって、送話部１の上面を受話部３で覆う閉成状態と、送話部１より受話部３を一方向へ摺動させてその上面を露出させる開成状態を形成させると共に、受話部３の摺動時において該受話部の摺動先端が若干持ち上がり送話部１に対して鈍角を形成するように構成する。【選択図】          図３
2004235897.tif 000002
【特許請求の範囲】
【請求項１】
第１の部材を構成する送話部の匡体と第２の部材を構成する受話部の匡体を別々に設け、両者をスライド機構を介して互いに相対的に摺動可能に連結することによって、前記送話部の上面を前記受話部で覆う閉成状態と、前記送話部より前記受話部を一方向へ摺動させてその上面を露出させる開成状態を形成させると共に、前記受話部の摺動時において該受話部の摺動先端が若干持ち上がり前記送話部に対して鈍角を形成するように構成したことを特徴とする、携帯電話機。
【請求項２】
別体に構成した第１の部材と第２の部材を、互いに重なり合った閉成状態とどちらか一方の部材の上面を露出させる開成状態を形成するように一方向へ摺動可能に連結するスライド機構であって、このスライド機構を、前記第１の部材と第２の部材のいずれか一方の側に取り付けられた先端に一方向へ摺動附勢させて進退可能に露出させたガイド部材を有するヒンジ装置と、このヒンジ装置の前記ガイド部材を所定の摺動位置で受け入れるために前記第１の部材と第２の部材のいずれか他方の側に設けた凹部と、前記送話部と受話部が互いに分離しないように係合する係合手段とを含んで構成したことを特徴とする、スライド機構。
【請求項３】
前記スライド機構を、前記第１の部材か第２の部材のいずれか一方のものの両側に他方のものの両側に向けて取り付けたヒンジケースの前端に一方向へ摺動附勢されて進退可能に露出させたガイド部材を有するヒンジ装置と、このヒンジ装置の前記ガイド部材を係合状態でガイドするために前記第１の部材か第２の部材のいずれか他方のものに設けられたガイド溝と、このガイド溝の適宜位置に設けた前記ガイド部材を受け入れてロックする凹部とで構成したことを特徴とする、請求項１或は２のいずれかに記載の携帯電話機並びにスライド機構。
【請求項４】
前記ガイド溝が、前記第１の部材と第２の部材の開成状態において、前記第２の部材が前記第１の部材に対し鈍角を形成できるように湾曲して設けられていることを特徴とする、請求項２と３のいずれかに記載のスライド機構。
【発明の詳細な説明】
【０００１】
【発明の属する技術分野】
この発明は、送話部と受話部を互いに摺動可能に取り付けて成る、とくに携帯電話機並びに別体に構成した第１の部材と第２の部材のスライド機構に関する。
【０００２】
【従来の技術】
一般に携帯電話機は、キーボード部とマイク部を設けた送話部と、ディスプレイ装置とスピーカー部を設けた受話部とから構成されており、送話部と受話部を一つの匡体の中に縦方向に並置したものと、送話部と受話部を各々別の匡体に設け、両者をヒンジを用いて開閉可能に連結したものとが知られている。
【０００３】
【特許文献１】特開２００２−３００２４３号公開特許公報
【０００４】
【発明が解決しようとする課題】
このうち、送話部と受話部を別の匡体に設け、両者をヒンジで相対的に開閉可能に連結したものは、不使用時に送話部と受話部を折り畳むことによって全体の長さが約半分となることから、不使用時における収納、取り扱いが便利であり、さらに不使用時に誤ってキー釦が押されてしまうということを防止できるという利点を有するが、ディスプレイ装置のディスプレイ画面を見ようとする場合には、その度毎に送話部と受話部を相対的に開かなくてはならず、煩雑な場合があるという問題があった。
【０００５】
この発明の目的は、とくに携帯電話機に実施した場合に、不使用時には送話部と受話部とを重ね合わせてコンパクトにまとめて嵩張らず、収納容易かつ取り扱い容易とすることができる上に、コンパクトにまとめた状態で受話部のディスプレイ装置に表示されたディスプレイ画面を読み取ることを可能とし、かつ、開成時に受話部と送話部が側面略くの字形状に屈曲した形態を形成できる携帯電話機を提供せんとするにある。
【０００６】
この発明の次の目的は、キーボード部を有する送話部を第１の部材とし、ディスプレイ装置を有する受話部を第２の部材とした場合に、後述するポケットコンピュータ等のような小型の電子機器にも広く応用できるスライド機構を提供せんとするにある。
【０００７】
【課題を解決するための手段】
上述した目的を達成するためにこの発明は、第１の部材を構成する送話部の匡体と第２の部材を構成する受話部の匡体を別々に設け、両者をスライド機構を介して互いに相対的に摺動可能に連結することによって、前記送話部の上面を前記受話部で覆う閉成状態と、前記送話部より前記受話部を一方向へ摺動させてその上面を露出させる開成状態を形成させると共に、前記受話部の摺動時において該受話部の摺動先端が若干持ち上がり前記送話部に対して鈍角を形成するように構成することを特徴とする。
【０００８】
この発明はまた、別体に構成した第１の部材と第２の部材を、互いに重なり合った閉成状態とどちらか一方の部材の上面を露出させる開成状態を形成するように一方向へ摺動可能に連結するスライド機構を、前記第１の部材と第２の部材のいずれか一方の側に取り付けられた先端に一方向へ摺動附勢させて進退可能に露出させたガイド部材を有するヒンジ装置と、このヒンジ装置の前記ガイド部材を所定の摺動位置で受け入れるために前記第１の部材と第２の部材のいずれか他方の側に設けた凹部と、前記送話部と受話部が互いに分離しないように係合する係合手段とを含んで構成することを特徴とする。
【０００９】
その際にこの発明は、前記スライド機構を、前記第１の部材か第２の部材のいずれか一方のものの両側に他方のものの両側に向けて取り付けたヒンジケースの前端に一方向へ摺動附勢されて進退可能に露出させたガイド部材を有するヒンジ装置と、このヒンジ装置の前記ガイド部材を係合状態でガイドするために前記第１の部材か第２の部材のいずれか他方のものに設けられたガイド溝と、このガイド溝の適宜位置に設けた前記ガイド部材を受け入れてロックする凹部とで構成することができる。
【００１０】
この発明はさらに、前記ガイド溝を、前記第１の部材と第２の部材の開成状態において、前記第２の部材が前記第１の部材に対し鈍角を形成できるように湾曲して設けることができる。
【００１１】
【発明の実施の形態】
以下にこの発明の一実施の形態を携帯電話機に実施した場合について説明するが、この発明に係るスライド機構は他にも例えばザウルス（商標）のような携帯端末、電卓、ポケットコンピュータ、携帯ゲーム機、灰皿、ケースの蓋等に実施することができる。
【００１２】
図面は、この発明の一実施の形態を示し、図１乃至図４において、指示記号Ｃは、この発明に係る携帯電話機を示し、指示記号１は例えば第１の部材を構成する携帯電話機の送話部であり、指示記号２はその匡体である。第１の部材１の表面にはマイク部１ａとキーボード部１ｂが設けられている。この第１の部材１の上部に重ね合わされ長手方向へスライド可能に取り付けられているのが、例えば第２の部材を構成する携帯電話機の受話部３であり、指示記号４はその匡体である。第２の部材３の表面には、スピーカー部３ａとディスプレイ装置３ｂが設けられている。尚、指示記号５のものはアンテナである。このアンテナ５は第２の部材３の側に取り付けられているが、当然に第１の部材１の側に取り付けられる場合もある。
【００１３】
とくに、図１乃至図３に示したように、第１の部材を構成する送話部１の匡体２の上面部側には、上向きに湾曲させた棚部２ａ，２ａが上面部よりやや低い位置に形成されており、この匡体２の上に第２の部材を構成する受話部３の匡体４が重ね合わされている。この匡体４の両側には、上向きに湾曲させた棚部２ａ，２ａの形状に合わせて下端線を下向きに湾曲させたスカート部４ａ，４ａが垂設されている。このスカート部４ａ，４ａは匡体２の上面部の両側を挟み、かつ棚部２ａ，２ａ上に沿って長手方向へ摺動可能であり、摺動させることにより棚部２ａ，２ａの湾曲面２ｂ，２ｂに案内されてその摺動先端側が水平状態から上方へせり上がって、とくに図３に示したように送話部１との間で側面略くの字形状の鈍角を形成するように構成されている。スカート部４ａ，４ａの内側には、棚部２ａ，２ａと平行に上向きに湾曲させたガイド溝４ｂ，４ｂが設けられると共に、このガイド溝４ｂ，４ｂの両端部と中央部には、ガイド溝４ｂ，４ｂよりやや幅の広い凹部４ｃ，４ｄ，４ｅ・４ｃ，４ｄ，４ｅが形成されている。尚、この凹部を形成させる位置は任意である。
【００１４】
また、棚部２ａ，２ａとスカート部４ａ，４ａは、前者を第２の部材３の匡体４側に、後者を第１の部材１の匡体２側に設ける変形実施態様も考えられる。
【００１５】
第１の部材１の匡体２の棚部２ａ，２ａを設けた側の中央部と登り傾斜部２ｂ，２ｂの上端部側の各両側には、先端をスカート部４ａ，４ａ側に臨ませて、４個のヒンジ装置６の各ヒンジケース７が収装穴８へ収装されることによって取り付けられている。
【００１６】
各ヒンジ装置６…は、実施の形態のものではどれも同じ構造のものであるため、図２において、矢印Ａで示したものについて説明する。ヒンジケース７は、その外側の両側軸方向へ条溝から成る回り止め手段９，９を有する筒状のものであり、収装穴８へ収装され、該収装穴８の両側軸方向へ突設した凸条部から成る回り止め手段１０，１０と回り止め手段９，９を係合させることにより、回り止めされている。尚、この回り止め手段の形状は実施の形態のものに限定されず、条溝と凸条部を設ける側は逆にしても良い。
【００１７】
ヒンジケース７の一端には、ボールベアリングから成るガイド部材１１が回転可能かつ外側へ抜け出ないように取り付けられ、このガイド部材１１は収装穴８より突出し、第２の部材の受話部３の匡体４に設けたガイド溝４ｂ，４ｂと係合するように構成されることによって、とくに図５乃至図７に示したように、匡体２と匡体４が互いに分離してしまわないようにする係合手段１５を構成している。
【００１８】
ガイド部材１１は、ヒンジケース７内に摺動可能に収装させた受座部１２によって支承されており、この受座部１２とヒンジケース７の後部に取り付けたストッパー部材１３との間に弾設したコンプレッションスプリング１４により、受座部１２ごとヒンジケース７の外側へ突出する方向へ附勢されている。
【００１９】
図９は、送話部の匡体と受話部の匡体の係合手段の他の実施の形態を示し、図面によれば、この実施の形態の係合手段２０は、送話部の匡体２１に棚部２２よりさらに内側へ喰い込む係合溝２２ａが設けられており、この係合溝２２ａに受話部の匡体２３のスカート部２４の下端部より内側へ屈曲させて設けた係合片部２４ａが係合するように構成されている。その他のヒンジ装置２５及びこのヒンジ装置のガイド部材と係合するガイド溝２６の構成は、先の実施の形態のものと同じである。
【００２０】
このように構成してもこの発明の目的は達成でき、この実施の形態の場合には、ヒンジ装置２５の取付位置を送話部の匡体２１の係合溝２２ａを挟んだ上側或は下側に取り付けることが可能である。
【００２１】
そして、ガイド溝２６の位置もこれに合わせて係合片部２４ａの上側や下側或は受話部の匡体２３の下面側とすることになろう。
【００２２】
図１０は係合手段のさらに他の実施の形態を示し、図面によれば、この実施の形態に係る係合手段３０は送話部の匡体３１の中央部には、蟻溝３２が設けられており、受話部の匡体３３には、この蟻溝３２と係合する係合部材３４が形成されている。そして、ヒンジ装置３５は、蟻溝３２の底部より上方へ向けて取り付けられており、このヒンジ装置３５のガイド部材と係合する位置にガイド溝３４ａが係合部材３４の側に設けられている。
【００２３】
このように実施してもこの発明の目的は達成でき、このように実施した場合には、ヒンジ装置３５は蟻溝３２のひさし部３２ａに水平方向へ取り付けても良い。これに伴ってガイド溝の位置は移動することになる。
【００２４】
したがって、図１と図２に示したように、送話部１側の匡体２と受話部３側の匡体４が互いに重なり合った状態において、各ヒンジ装置６の各ガイド部材１１が各ガイド溝４ｂ，４ｂの凹部４ｄ，４ｄ・４ｅ，４ｅ内に嵌入し係合することによって、ロック状態を保っている。
【００２５】
この状態から第１の部材である送話部１を片手に持って、もう一方の手で第２の部材である受話部３の匡体４を前方へ押すと、各ガイド部材１１と各ガイド溝４ｂ，４ｂの凹部４ｄ，４ｄ・４ｅ，４ｅとの間のロック状態が解除され、各ガイド部材１１が各ガイド溝４ｂ，４ｂと係合することによって案内されて摺動が可能となり、受話部３は前方へややせり上がりつつ移動し、第１の部材である送話部１の上面が露出することになる。
【００２６】
この摺動動作は、各ガイド部材１１が各ガイド溝４ｂ，４ｂに設けた凹部４ｃ，４ｃと４ｄ，４ｄと嵌合して係合するところで停止しロックされる。この状態を示したのが図４であり、操作者は送話部１の匡体２上のキーボード部１ｂのキー操作が可能となる。同時にとくに図４に示したように、受話部３は送話部１に対して鈍角を形成し側面略くの字形状となることから、ディスプレイ装置３ｂに表示された映像を見てキーボード操作をし易く、かつ携帯電話機を手に持って会話をする際にマイク部１ａは操作者の口元に、スピーカー部３ａは耳元に近くなり、操作性が向上することになる。
【００２７】
操作者が携帯電話機の操作を終えて受話部３を元に戻す時には、匡体４を手前側へ引くことにより、各ガイド部材１１の凹部４ｄ，４ｅ・４ｅ，４ｅに対するロック状態が解除され、各ガイド部材１１は各ガイド溝４ｂに案内されつつ匡体４は元の位置に戻り、上述したように各ガイド部材１１が、凹部４ｄ，４ｄ・４ｅ，４ｅと係合することによりロック状態となる。このようにして、送話部１と受話部３の開閉操作が可能となる。
【００２８】
尚、その他の実施の形態として、ヒンジ装置６はこれを受話部３の匡体４側に取り付け、ガイド溝を送話部１の匡体２側に設けることは任意である。棚部２ａやガイド溝４ｂ等の形状を図示したように湾曲させず、ストレートのものとして、第１の部材と第２の部材が互いに水平方向へスライドするように構成しても良い。さらに、ヒンジ装置６の構成も上述した実施の形態のものに限定されない。例えばガイド部材１１は必ずしもボールベアリングでなくとも良く、要はガイド溝と係合して摺動する凸状の部材であれば足りる。そうすると受座部は凸状の部材と一体に形成されることが可能となる。ストッパー部材も、これを単にヒンジケースの側壁とすることによって省略できる。また、上述した実施の形態にすると、ヒンジ装置６の匡体２に対する組み付けが容易であるが、ヒンジケース７を省略して匡体２に設けた収装穴８の中にガイド部材１１やコンプレッションスプリング１４を収装させることも可能である。
【００２９】
【発明の効果】
この発明は以上のように構成したので、次のような効果を奏し得る。
【００３０】
請求項１と４のように構成すると、携帯電話機の送話部と受話部を不使用時の閉成状態において互いに重ね合わせてコンパクトにまとめて、キーの誤動作が生じないようにすることができると共に、開成時の使用時には、送話部に対し受話部が鈍角を形成できるので、送話部のマイク部の部分は口元に近づき、受話部のスピーカー部は耳元に近づくので、使用し易くなるという効果を奏し得ると共に、送話部を片手で持った際に、受話部が起き上がった状態となるので、受話部に設けたディスプレイ装置の映像が見やすくなるという効果を奏し得る。
【００３１】
請求項２と３のように構成すると、簡単な構成で第１の部材と第２の部材を互いに重なり合った閉成状態と一方の部材の上面を露出させる開成状態とを形成できると共に、閉成状態において第２の部材に設けたディスプレイ装置の映像を視認できるという効果を奏し得る。
【図面の簡単な説明】
【図１】この発明に係るスライド機構を実施した携帯電話機を構成する送話部と受話部の閉成状態における側面図である。
【図２】この発明に係るスライド機構を実施した携帯電話機の平面図である。
【図３】この発明に係るスライド機構を実施した携帯電話機を構成する送話部と受話部の閉成状態における側面図である。
【図４】この発明に係るスライド機構を実施した携帯電話機の開成状態における平面図である。
【図５】図２のＡ−Ａ線拡大断面図である。
【図６】図３のＡ視の部分の拡大図である。
【図７】この発明に係るスライド機構のヒンジ装置の内部機構を示す縦断面図である。
【図８】図７のＢ−Ｂ線断面図である。
【図９】この発明に係るスライド機構の係合手段の他の実施の形態を示す説明図である。
【図１０】この発明に係るスライド機構の係合手段のさらに他の実施の形態を示す説明図である。
【符号の説明】
Ｃ  携帯用電話機
１  第１の部材（送話部）
２  匡体
２ａ  棚部
２ｂ  登り傾斜部
３  第２の部材（受話部）
４  匡体
４ａ  スカート部
４ｂ  ガイド溝
４ｃ，４ｄ，４ｅ  凹部
５  アンテナ
６  ヒンジ装置
７  ヒンジケース
８  収装穴
９  回り止め手段
１０  回り止め手段
１１  ガイド部材
１２  受座部
１３  ストッパー部材
１４  コンプレッションスプリング
１５  係合手段
【図１】
2004235897.tif 000003
【図２】
2004235897.tif 000004
【図３】
2004235897.tif 000005
【図４】
2004235897.tif 000006
【図５】
2004235897.tif 000007
【図６】
2004235897.tif 000008
【図７】
2004235897.tif 000009
【図８】
2004235897.tif 000010
【図９】
2004235897.tif 000011
【図１０】
2004235897.tif 000012
【手続補正書】
【提出日】平成16年2月13日(2004.2.13)
【手続補正１】
【補正対象書類名】明細書
【補正対象項目名】図面の簡単な説明
【補正方法】変更
【補正の内容】
【図面の簡単な説明】
【図１】この発明に係るスライド機構を実施した携帯電話機を構成する送話部と受話部の閉成状態における側面図である。
【図２】この発明に係るスライド機構を実施した携帯電話機の平面図である。
【図３】この発明に係るスライド機構を実施した携帯電話機を構成する送話部と受話部の閉成状態における側面図である。
【図４】この発明に係るスライド機構を実施した携帯電話機の開成状態における平面図である。
【図５】図２のＡ−Ａ線拡大断面図である。
【図６】図５のＡ視の部分の拡大図である。
【図７】この発明に係るスライド機構のヒンジ装置の内部機構を示す縦断面図である。
【図８】図７のＢ−Ｂ線断面図である。
【図９】この発明に係るスライド機構の係合手段の他の実施の形態を示す説明図である。
【図１０】この発明に係るスライド機構の係合手段のさらに他の実施の形態を示す説明図である。
【符号の説明】
Ｃ  携帯用電話機
１  第１の部材（送話部）
２  匡体
２ａ  棚部
２ｂ  登り傾斜部
３  第２の部材（受話部）
４  匡体
４ａ  スカート部
４ｂ  ガイド溝
４ｃ，４ｄ，４ｅ  凹部
５  アンテナ
６  ヒンジ装置
７  ヒンジケース
８  収装穴
９  回り止め手段
１０  回り止め手段
１１  ガイド部材
１２  受座部
１３  ストッパー部材
１４  コンプレッションスプリング
１５  係合手段